(57)【要約】  【課題】特別な製造設備を必要とせず、簡易に持ち運ぶことができて、多目的に使用することができる多目的マットを提供すること。  【解決手段】第１のマットが柔軟性を有する樹脂マットであって、第２のマットが畳表を使用したマットであって、第１のマットと第２のマットの幅と長さとをほぼ同じ寸法とし、第１のマットと第２のマットの四周を固定することによって、第１のマットと第２のマットのいずれの面も使用できるリバーシブルとした多目的マットを提供する。【選択図】    図１
2016202223.tif 000002
【特許請求の範囲】
【請求項１】
第１のマットが柔軟性を有する樹脂マットであって、
第２のマットが畳表を使用したマットであって、
第１のマットと第２のマットの幅と長さとをほぼ同じ寸法とし、第１のマットと第２のマットの四周を固定することによって、第１のマットと第２のマットのいずれの面も使用できるリバーシブルとしたことを特徴とする多目的マット。
【請求項２】
第１のマットがポリ塩化ビニル系材質のマットであって、第２のマットと重ね合わせた状態で四周を縫着により固定したことを特徴とする請求項１記載の多目的マット。
【請求項３】
ロール状に巻いてケースに収納して可搬できるサイズとしたことを特徴とする請求項１または請求項２のいずれかに記載の多目的マット。
【発明の詳細な説明】
【技術分野】
【０００１】
本発明は、天然のイ草を織った畳表を使用したマットに関するものである。さらに詳しくは、リバーシブルで両面を使用することができ、レジャーやヨガなどの運動に使用できる多目的マットに関するものである。
【背景技術】
【０００２】
従来よりイ草を使用したゴザなどの敷物はよく知られており、特許文献１に示すような、裁断端部を有する藺草織物を使用した敷物であって、 少なくとも藺草織物の表面全体あるいは少なくとも上記裁断端部の断面を含む藺草織物の表面全体に、透視性を有する被覆フィルムが被覆させてある、藺草織物を使用した敷物が知られている。
【０００３】
特許文献１の敷物は、裁断端部を有する藺草織物を使用した敷物において、裁断端部を縁布で覆ったり、裁断端部を含む裁断側を折り返すような処理方法とは異なる新しい方法で裁断端部を処理することにより、裁断端部から藺草の繊維が解れたり、裁断端部から露出した藺草の繊維が擦れることを防止を目的として構成されているものであった。
【先行技術文献】
【特許文献】
【０００４】
【特許文献１】特開２００７−２３６９１６号公報
【発明の開示】
【発明が解決しようとする課題】
【０００５】
特許文献１の敷物は、段落００３６に様々な敷物を挙げることができると記載されているが、被覆フィルムで藺草織物の表面全体あるいは裁断部の断面を含む藺草織物の表面全体を覆うために、藺草の風合いや手触りを被覆フィルムで覆ってしまうことにより失わせてしまうという課題を有していた。
【０００６】
さらに、裁断部の断面を含む藺草織物の表面全体を覆って、繰り返し使用されるためには、被覆フィルムは強度が求められることとなり、藺草織物の表面全体の凹凸に沿って密着させて、この密着に伴う圧力で上記クッション材が変形することによって、少なくとも藺草敷物構成体の幅方向の両端側の上部は角張らずに曲面状または丸みをつけて形成させるためにはフィルム厚も厚いものを使用しなければならなかった。
【０００７】
またさらに、製造のためには、上記特許文献１の図４に示されているような被覆フィルムで覆うための製造設備も必要となることから、製造工程は複雑でコストがかかってしまう構成とならざるを得なかった。そのために、コストを抑えて手軽に使用することができるようなマットとしては提供できるものではなかった。
【課題を解決するための手段】
【０００８】
上記の課題を解決するために、本発明は、第１のマットが柔軟性を有する樹脂マットであって、第２のマットが畳表を使用したマットであって、第１のマットと第２のマットの幅と長さとをほぼ同じ寸法とし、第１のマットと第２のマットの四周を固定することによって、第１のマットと第２のマットのいずれの面も使用できるリバーシブルとしたことを特徴とする。
【０００９】
また、第１のマットがポリ塩化ビニル系材質のマットであって、第２のマットと重ね合わせた状態で四周を縫着により固定したことを特徴とする。
【００１０】
またさらに、ロール状に巻いてケースに収納して可搬できるサイズとしたことを特徴とする。
【発明の効果】
【００１１】
本発明の多目的マットは、天然のイ草からなる畳表マットと、柔軟性を有する樹脂マットである畳縁とＰＶＣ（ポリ塩化ビニル）材質のマットを接着剤を使用しないで糸で縫うだけで製作するため、天然のイ草からなる畳表の見た目の風合い、肌触りの良さ、香りの良さを損なうことはなく一方は柔軟性を有する樹脂のマットの面で、もう一方の面は畳表のマットで多目的に使用できるマットの提供ができる。
【００１２】
本発明の多目的マットは、周囲４辺に畳縁を糸で縫い付けた畳表をＰＶＣ（ポリ塩化ビニル）材質のマットの周囲４辺に袋綴じに糸で縫い付けた構造であるので、完成した多目的マットを巻物状にする際に、内側となるＰＶＣ（ポリ塩化ビニル）材質のマットが外側となる畳表から離れて縮むので、耐久性の良い多目的マットの提供ができる。
【００１３】
本発明の多目的マットは柔軟性を有する樹脂マット側を内側に巻くことで、直径を小さくすることができ運搬性が優れた多目的マットの提供をすることができる。また、以上に説明した多目的マットは、糸で縫着するだけの製造工程であり、特別な製造設備を必要とせず、ミシンがあれば製造できる。またさらに、接着剤を使わないので乾燥工程も必要なく、製造設備の簡素化と製造時間の短縮を図ることができ、製造原価を抑えることができるものである。
【図面の簡単な説明】
【００１４】
【図１】本発明の多目的マットを開示した説明図であり、（ａ）は柔軟性のある樹脂シート面側から見た状態の説明図、（ｂ）は長さ方向の断面を説明する図、（ｃ）は畳表面側から見た状態の説明図、（ｄ）は幅方向から見た断面の説明図である。
【図２】図１（ｄ）の断面説明図の端部の拡大図である。
【図３】図１（ｂ）の断面説明図の端部の拡大図である。
【図４】本発明の多目的マットをロール状に巻いた状態を説明する図である。
【発明を実施するための最良の形態】
【００１５】
本発明の多目的マットについて、多目的マットを製作する工程順に、図１〜図３を用いて説明する。本発明の多目的マットでは、柔軟性のある樹脂マットとして幅６１ｃｍ×長さ１７３ｃｍの大きさのＰＶＣ（ポリ塩化ビニル）材質のマット（１）を使用する。そして、リバーシブルとなるもう一方の面となる天然のイ草で作られた畳表マット（２）も同様の寸法で製作しておく。樹脂マットの幅や長さは適宜変更が可能であり本発明を限定する物ではない。
【００１６】
畳表マット（２）を構成しているイ草一本一本の長さが多目的マットの幅６１ｃｍになる向きに畳表を使用し、長方形の畳表マット（２）の四周端をそれぞれの縁で畳表を構成するイ草の端部を覆うように畳縁（３）を取り付けて糸（４）で縫着し、周囲４辺に縁が縫い付けられた畳表マット（２）を構成させる。
【００１７】
次に、周囲４辺に縁が縫い付けられた畳表マット（２）を、ミシンを用いてＰＶＣ（ポリ塩化ビニル）材質のマット（１）重ね合わせて糸（５）及び糸（６）でその外周付近を縫い付けて多目的マットを構成する。本発明の多目的マットで使用するＰＶＣ（ポリ塩化ビニル）材質のマット（１）は、厚みが８ｍｍあり、表面には凹凸を設けているので、外周付近の縫着（糸（５））とその少し内側の四周の縫着（糸（６））との２本、２周の縫着を丈夫な糸でしっかりと縫着して糸がほつれないように耐久性をアップさせている。畳表マット（２）の厚みは約２ｍｍ程度であるので、約１０ｍｍ程度の厚みとなる。ＰＶＣ（ポリ塩化ビニル）材質のマット（１）の厚みは８ｍｍに限定するものではなく、適度なクッション性が得られる厚みであれば良いので厚みは適宜変更可能である。図１（ａ）においては、ＰＶＣ（ポリ塩化ビニル）材質のマット（１）の凹凸を一部のみ図示しており、図１（ｃ）においては、畳表のイ草の編み目も一部のみ図示した状態で開示しているが、上記の凹凸やイ草の編み目は全体に及ぶものである。
【００１８】
また、畳表マット（２）とＰＶＣ（ポリ塩化ビニル）材質のマット（１）が接する部分（長方形）には特に接着剤などはは塗布していない状態とし、周囲４辺を袋綴じにした状態にしている。
【００１９】
完成した多目的マットは図２と図３に示す様に、糸のみでその外周を縫着されて一体になったＰＶＣ（ポリ塩化ビニル）材質のマット（１）と畳縁（３）が四周に縫着された畳表マット（２）からなる積層体となっている。
【００２０】
完成した多目的マットは、図４に示す様に、ＰＶＣ（ポリ塩化ビニル）材質のマット（１）を内側に、畳表マット（２）を外側にしてロール状に巻いた状態とすることができ、畳表マット（２）とＰＶＣ（ポリ塩化ビニル）材質のマット（１）は接着がされていないので、ロールの巻きの内側になる弾力のあるＰＶＣ（ポリ塩化ビニル）材質のマット（１）が巻きの圧力を受けて縮むためにロール状に巻いた際の直径が大きくなることがない状態とすることができる。本発明の多目的マットをロール状に巻いた時のの直径は約１５０ｃｍ程度である。
【００２１】
簡単にロール状にも巻けるために、多目的マットは持ち運び用の袋（図示せず）に入れて持ち運びが容易である。
【００２２】
本発明の多目的マットは、糸でその四周を縫着するだけなので特別な製造用設備などは必要がなく、ミシンがあれば製造でき、また、接着剤を使わないので乾燥工程も必要がなく、製造設備の簡素化と、製造時間の短縮を図ることができ、その結果完成する多目的マットの製造コストを抑えることができる。
【００２３】
本発明の多目的マットではＰＶＣ（ポリ塩化ビニル）材質のマット（１）の色を複数用意したり、例えば青色、赤色、緑色などのＰＶＣ（ポリ塩化ビニル）材質のマット（１）を使用したり、また、模様を入れたＰＶＣ（ポリ塩化ビニル）材質のマット（１）を使用したりすることでデザイン性、ファッション性を持たせることも可能である。
【００２４】
次に、本発明の多目的マットの使用に関する特徴について説明する。例えば柔軟性を持たせたＰＶＣ（ポリ塩化ビニル）材質のマット（１）を使用してヨガなどの運動を行うことができる。多目的マットのユーザーは、直径約１５０ｃｍに巻いた小さい多目的マットをヨガ教室などへ持って行き、畳表マット（２）を床に接する向きに敷いて、ＰＶＣ（ポリ塩化ビニル）材質のマット（１）の上に乗ってヨガを行うことができる。
【００２５】
ヨガを行っている際には、ＰＶＣ（ポリ塩化ビニル）材質のマット（１）は使用者が触れている部分が柔軟に効果的に変形し、例えば、肩立ちのポーズでは、肩や肘が当たる部分は、肩や肘の形にそってＰＶＣ（ポリ塩化ビニル）材質のマット（１）が包み込む様に変形するので、ユーザーは肩や肘を痛めることなくヨガなどの運動ができる。
【００２６】
また、丈夫で弾力があるＰＶＣ（ポリ塩化ビニル）材質のマット（１）を、糸２本でしっかりと伸び縮みの少ない畳表（２）に縫い付けた積層体となっているので、ヨガを行っている時にＰＶＣ（ポリ塩化ビニル）材質のマット（１）に大きな力が加わった場合でも、ＰＶＣ（ポリ塩化ビニル）材質のマット（１）が伸びすぎたり、破れたりすることはない。
【００２７】
また、天然のイ草を使用しているので畳表マット（２）からはイ草の良い香りが漂うため、その香りによってリラックスしてヨガ等の運動をすることができる。
【００２８】
畳表マット面を使用する場合においては、直径は１５０ｃｍに巻いた多目的マットを袋に収納して、例えば、災害時の避難所へもって行き、ＰＶＣ（ポリ塩化ビニル）材質のマット（１）の面が床に接触する向きで避難所の床に敷いて、畳表マット（２）の上に座ったり、寝転がったりして使用することができる。避難所で眠るときは多目的マットを裏返してＰＶＣ（ポリ塩化ビニル）材質のマット（１）を上にして敷布団代わりにとして使用したりすることも可能である。
【００２９】
畳表マット（２）の下側にＰＶＣ（ポリ塩化ビニル）材質のマット（１）を縫い付けた構成になっているので、冬場などで避難所の床が冷えていた場合でも保温性が良く、ユーザーの体が冷やされることがない。  
【００３０】
また、夏場の暑い時でも天然のイ草がユーザーの体に接触して肌触りがよく涼しく感じられる。また、イ草の香りでリラックス効果をユーザーにもたらすことができる。
【００３１】
また、畳縁（３）を畳表マット（２）の４辺の周囲に縫い付けているので見た目が畳の外観を呈しており避難中の負担を軽くする効果もある。
【００３２】
また、多目的マットを花見など、野山に持って行き畳表マット（２）の面を上にして使用してもよい。地面の凹凸をＰＶＣ（ポリ塩化ビニル）材質のマット（１）が吸収してくれるので足への負担を少なくすることができる。また、畳表マット（２）が汚れた場合は水を絞った布・ぞうきんで拭けばよいし、掃除の手間をかけたくない場合には本発明の多目的マットを持ち運びする袋（ケース）に薄いレジャーシートを一緒に入れたりしておき、薄いレジャーシートの上に本発明の多目的マットを敷けば良い。
【符号の説明】
【００３３】
１  ＰＶＣ（ポリ塩化ビニル）材質のマット
２  畳表マット
３  畳縁
４  糸
５  糸
６  糸
【図１】
2016202223.tif 000003
【図２】
2016202223.tif 000004
【図３】
2016202223.tif 000005
【図４】
2016202223.tif 000006